(57)【特許請求の範囲】
【請求項１】
遊技球の発射強度を調節するためにパチンコ機本体の所定個所に設けられた発射ハンドルにおいて、
周方向に回動可能な環状の回動部材と、
この回動部材を回動させる際に指を掛けるための指掛け部材と、
この指掛け部材を前記回動部材の周囲に取付けるための取付部材とを備えており、
前記指掛け部材が前記取付部材によって前記周囲に取付けられており、
前記指掛け部材が、前記回動部材を回動させようとする指によって押圧されることにより、その指の姿勢に倣って自身の取付姿勢を前記取付部材を介して変化させるように前記周囲に取付けられていることを特徴とする発射ハンドル。
【請求項２】
前記指掛け部材が、前記回動部材を回動させようとする指によって押圧されることにより、その指の姿勢に倣って前記取付部材を介して回動するように前記周囲に取付けられていることを特徴とする請求項１に記載の発射ハンドル。
【請求項３】
前記指掛け部材が、前記回動部材を回動させようとする指によって押圧されることにより、その指の姿勢に倣って前記取付部材を介して傾倒するように前記周囲に取付けられていることを特徴とする請求項１に記載の発射ハンドル。
【請求項４】
前記指掛け部材が、前記回動部材を回動させようとする指によって押圧されることにより、その指の姿勢に倣って前記取付部材を介して回動かつ傾倒するように前記周囲に取付けられていることを特徴とする請求項１に記載の発射ハンドル。
【請求項５】
前記取付部材の一端が前記指掛け部材に、他端が前記回動部材の内側にそれぞれ取付けられており、前記指掛け部材が、前記取付部材を回動中心にして回動可能に前記周囲に取付けられていることを特徴とする請求項２に記載の発射ハンドル。
【請求項６】
前記取付部材の一端が前記指掛け部材に、他端が前記回動部材の内側にそれぞれ取付けられており、前記指掛け部材が、前記他端を基端にして傾倒可能に前記周囲に取付けられていることを特徴とする請求項３に記載の発射ハンドル。
【請求項７】
前記取付部材の一端が前記指掛け部材に、他端が前記回動部材の内側にそれぞれ取付けられており、前記指掛け部材が、前記取付部材を回動中心にして回動可能、かつ、前記他端を基端にして傾倒可能に前記周囲に取付けられていることを特徴とする請求項４に記載の発射ハンドル。
【請求項８】
前記取付部材は、その他端に膨出形成された膨出部と、この膨出部の上部から突出した軸部とを備えており、前記回動部材の内側には、前記膨出部を可動状態で収容するとともに、前記軸部をその周面と間隙を隔てて収容する収容部が備えられていることを特徴とする請求項５ないし請求項７のいずれか１つに記載の発射ハンドル。
【請求項９】
複数の前記指掛け部材が、前記回動部材を回動させる際に使う複数の指のそれぞれに対応して前記周囲に取付けられていることを特徴とする請求項１ないし請求項８のいずれか１つに記載の発射ハンドル。
【請求項１０】
各前記指掛け部材が、それぞれ同一形状であることを特徴とする請求項９に記載の発射ハンドル。
【発明の詳細な説明】
【技術分野】
【０００１】
この発明は、遊技球の発射強度を調節するためにパチンコ機に設けられた発射ハンドルに関する。
【背景技術】
【０００２】
従来、発射ハンドルとしては、操作レバーをバネ力に抗して時計方向に回動させると発射強度が強くなり、逆に反時計方向に回動させると発射強度が弱くなるように構成されたものが知られている。
図１０は、従来の発射ハンドルの説明図であり、（Ａ）は特許文献１に記載の発射ハンドルの説明図、（Ｂ）は特許文献２に記載の発射ハンドルの説明図、（Ｃ）は特許文献３に記載の発射ハンドルの説明図である。
特許文献１に記載のものは、操作レバー６０の指当て部６１を後方に向けて突出形成することにより、指当て部６１の指当て面６２の面積を大きくし、長時間に亘って操作レバー６０を回動操作状態に保持したときに指の痛みを感じることがないようにしたものである。
【０００３】
特許文献２に記載のものは、手前側に向かうにつれて回動軸７４に近づくように傾斜する傾斜部７３を有する指掛け部７１，７２の外周面を備えており、操作ハンドル７０に手を自然に掛けた状態で、指が指掛け部７１，７２にフィットするようにしたものである。特許文献３に記載のものは、回動盤１００の周面に人差し指を掛けるための指当溝部１０１と、中指を掛けるための指当溝部１０２とを設けている。以下、操作レバー６０、操作ハンドル７０および回動盤１００を総称して操作レバーといい、指当て部、指掛け部および指当溝部を総称して指掛け部という。
操作レバーが時計回りに回動する回動量が増加するほど、発射装置が遊技球を発射する強度が強くなり、遊技球の飛翔距離が長くなる。また、発射ハンドルの内部には、時計回りに回動した操作レバーを反時計回りに戻そうとするバネが内蔵されており、遊技球の発射強度を調節するときは、そのバネのバネ力に抗して操作レバーを回動させる。
【０００４】
【特許文献１】特開平１１−２９９９７１号公報（第２６段落、図４）
【特許文献２】特開２００２−２２４３１４号公報（第４８段落、図４）
【特許文献３】特開平１１−２９０５０９号公報（第１１〜１４段落、図１）
【発明の開示】
【発明が解決しようとする課題】
【０００５】
ところで、指掛け部に掛ける指の長さ、大きさ、拡げた指間の成す角度などの指の形態は、遊技者毎に異なる。また、バネ力に抗して操作レバーを回動させる際、指で指掛け部を押圧するが、その押圧する力について特定の指が強いなど、指の掛け方に関しても遊技者毎に様々な癖がある。
しかし、前述した各特許文献に記載のものは、いずれも指掛け部の形状や位置は不変であるため、遊技者毎に異なる指の形態や癖などに対応できないという問題がある。
特に、指掛け部が自分の指の形態や癖などに適合していない場合に、長時間に亘って指を指掛け部に掛けた状態を継続すると、指掛け部に当たっている部分が痛くなるため、遊技が苦痛になる。
また、途中で指の姿勢を変えると、指掛け部に当たる部位が変わってしまうため、力を掛け難くなり、却って操作し難くなるという問題が発生する。
【０００６】
そこでこの発明は、上述の諸問題を解決するためになされたものであり、遊技者毎に異なる指の形態と、指の掛け方などの癖とに対応することができ、操作が楽な発射ハンドルを実現することを目的とする。
【課題を解決するための手段】
【０００７】
この発明は、上記目的を達成するため、請求項１に記載の発明では、遊技球の発射強度を調節するためにパチンコ機本体（１０）の所定個所に設けられた発射ハンドル（１、９０）において、周方向に回動可能な環状の回動部材（５、９１）と、この回動部材を回動させる際に指を掛けるための指掛け部材（２、２０）と、この指掛け部材を前記回動部材の周囲（５ｉ、４９，５９）に取付けるための取付部材（４、３０）とを備えており、前記指掛け部材が前記取付部材によって前記周囲に取付けられており、前記指掛け部材が、前記回動部材を回動させようとする指（Ｙ）によって押圧されることにより、その指の姿勢に倣って自身の取付姿勢を前記取付部材を介して変化させるように前記周囲に取付けられているという技術的手段を用いる。
【０００８】
ここで、「指の姿勢」とは、指で押圧する指掛け部材に対する指の位置、角度および方向などのことであり、詳細には、指掛け部材と接触する指の腹や側面の指掛け部材に対する位置、角度および方向などのことである。
また、「取付姿勢」とは、回動部材の周囲に対する指掛け部材の取付角度および取付方向などのことである。
【０００９】
請求項２に記載の発明では、請求項１に記載の発射ハンドル（１、９０）において、前記指掛け部材（２、２０）が、前記回動部材（５、９１）を回動させようとする指（Ｙ）によって押圧されることにより、その指の姿勢に倣って前記取付部材（４、３０）を介して回動するように前記周囲（５ｉ、４９，５９）に取付けられているという技術的手段を用いる。
【００１０】
請求項３に記載の発明では、請求項１に記載の発射ハンドル（１、９０）において、前記指掛け部材（２、２０）が、前記回動部材（５、９１）を回動させようとする指（Ｙ）によって押圧されることにより、その指の姿勢に倣って前記取付部材（４、３０）を介して傾倒するように前記周囲（５ｉ、４９，５９）に取付けられているという技術的手段を用いる。
【００１１】
請求項４に記載の発明では、請求項１に記載の発射ハンドル（１、９０）において、前記指掛け部材（２、２０）が、前記回動部材（５、９１）を回動させようとする指（Ｙ）によって押圧されることにより、その指の姿勢に倣って前記取付部材（４、３０）を介して回動かつ傾倒するように前記周囲（５ｉ、４９，５９）に取付けられているという技術的手段を用いる。
【００１２】
請求項５に記載の発明では、請求項２に記載の発射ハンドル（１、９０）において、前記取付部材（４、３０）の一端が前記指掛け部材（２、２０）に、他端が前記回動部材の内側にそれぞれ取付けられており、前記指掛け部材が、前記取付部材を回動中心にして回動可能に前記周囲に取付けられているという技術的手段を用いる。
【００１３】
請求項６に記載の発明では、請求項３に記載の発射ハンドル（１、９０）において、前記取付部材（４、３０）の一端が前記指掛け部材（２、２０）に、他端が前記回動部材の内側にそれぞれ取付けられており、前記指掛け部材が、前記他端を基端にして傾倒可能に前記周囲に取付けられているという技術的手段を用いる。
【００１４】
請求項７に記載の発明では、請求項４に記載の発射ハンドル（１、９０）において、前記取付部材（４、３０）の一端が前記指掛け部材（２、２０）に、他端が前記回動部材の内側にそれぞれ取付けられており、前記指掛け部材が、前記取付部材を回動中心にして回動可能、かつ、前記他端を基端にして傾倒可能に前記周囲に取付けられていることを特徴とする。
【００１５】
請求項８に記載の発明では、請求項５ないし請求項７のいずれか１つに記載の発射ハンドル（１、９０）において、前記取付部材は、その他端に膨出形成された膨出部（３２）と、この膨出部の上部から突出した軸部（３１）とを備えており、前記回動部材の内側には、前記膨出部を可動状態で収容するとともに、前記軸部をその周面と間隙を隔てて収容する収容部（４１，５１、４２，５２）が備えられているという技術的手段を用いる。
【００１６】
請求項９に記載の発明では、請求項１ないし請求項８のいずれか１つに記載の発射ハンドル（１、９０）において、複数の前記指掛け部材（２、２０）が、前記回動部材（５、９１）を回動させる際に使う複数の指（Ｙ）のそれぞれに対応して前記周囲（５ｉ、４９，５９）に取付けられているという技術的手段を用いる。
【００１７】
請求項１０に記載の発明では、請求項９に記載の発射ハンドル（１、９０）において、各前記指掛け部材（２、２０）が、それぞれ同一形状であるという技術的手段を用いる。
なお、上記の各括弧内の符号は、後述する実施形態において使用する符号と対応するものである。
【発明の効果】
【００１８】
（請求項１に係る発明の効果）
回動部材を回動させようとする指によって指掛け部材を押圧したときに、その指の指掛け部材に対する指の位置、角度および方向などに倣って、指掛け部材の回動部材の周囲に対する取付角度および取付方向などを変化させることができる。
従って、遊技者毎に異なる指の形態と、指の掛け方などの癖とに対応することができ、操作が楽な発射ハンドルを実現することができる。
【００１９】
（請求項２に係る発明の効果）
回動部材を回動させようとする指によって指掛け部材を押圧したときに、その指の姿勢に倣って指掛け部材を取付部材を介して回動させることができる。
例えば、回動部材を回動させようとする指の側部と、指掛け部材のうち指による押圧を受ける部分（以下、受圧部という）とが平行でない場合、指の側部の一部が指掛け部材を押圧することになり、指の押圧力が指の側部の一部に集中するため、長時間に亘って指掛け部材を押圧すると、指の側部が痛くなってしまう。
しかし、請求項２に係る発明によれば、指の姿勢に倣って指掛け部材が回動するため、指の側部と指掛け部材の受圧部とが局所的に接触する状態がなくなり、押圧面積が増加するため、長時間に亘って指掛け部材を押圧しても指の側部が痛くなるおそれがない。
また、遊技の途中で指掛け部材に掛けている指の姿勢を変える場合も、その姿勢に倣って指掛け部材が回動し、指の側部と指掛け部材の受圧部との接触面積が減少することがないため、指の側部が痛くなるおそれがない。
【００２０】
（請求項３に係る発明の効果）
回動部材を回動させようとする指によって指掛け部材を押圧したときに、その指の姿勢に倣って指掛け部材を取付部材を介して傾倒させることができる。
例えば、回動部材を回動させようとする指の側部と、指掛け部材の受圧部とが一定の角度で接触した状態が長く続くと指の側部が痛くなることがある。
しかし、請求項３に係る発明によれば、指の姿勢に倣って指掛け部材が傾倒するため、指の側部と指掛け部材の受圧部とが局所的に接触する状態がなくなるため、長時間に亘って指掛け部材を押圧しても指の側部が痛くなるおそれがない。
また、遊技の途中で指掛け部材に掛けている指の姿勢を変える場合も、その姿勢に倣って指掛け部材が傾倒し、指の側部と指掛け部材の受圧部とが接触する部位が変化するため、指の側部が痛くなるおそれがない。
【００２１】
（請求項４に係る発明の効果）
回動部材を回動させようとする指によって指掛け部材を押圧したときに、その指の姿勢に倣って指掛け部材を取付部材を介して回動かつ傾倒させることができるため、指の側部と指掛け部材の受圧部とが局所的に接触する状態がなくなるため、長時間に亘って指掛け部材を押圧しても指の側部が痛くなるおそれがない。
また、遊技の途中で指掛け部材に掛けている指の姿勢を変える場合も、その姿勢に倣って指掛け部材が傾倒し、指の側部と指掛け部材の受圧部とが接触する部位が変化するため、指の側部が痛くなるおそれがない。
【００２２】
（請求項５に係る発明の効果）
取付部材の一端が指掛け部材に、他端が回動部材の内側にそれぞれ取付けられているという簡易な取付構造により、指掛け部材を押圧する指の姿勢に倣って回動する指掛け部材を実現することができる。
従って、取付構造が簡易であるため、回動部材に対する指掛け部材の取付作業を容易なものとし、発射ハンドルの製造コストを低減することができる。また、取付部材を取り去るだけで指掛け部材を回動部材から外すことができるため、指掛け部材の交換を容易に行うことができる。
【００２３】
（請求項６に係る発明の効果）
取付部材の一端が指掛け部材に、他端が回動部材の内側にそれぞれ取付けられているという簡易な取付構造により、指掛け部材を押圧する指の姿勢に倣って傾倒する指掛け部材を実現することができる。
従って、取付構造が簡易であるため、回動部材に対する指掛け部材の取付作業を容易なものとし、発射ハンドルの製造コストを低減することができる。また、取付部材を取り去るだけで指掛け部材を回動部材から外すことができるため、指掛け部材の交換を容易に行うことができる。
【００２４】
（請求項７に係る発明の効果）
取付部材の一端が指掛け部材に、他端が回動部材の内側にそれぞれ取付けられているという簡易な取付構造により、指掛け部材を押圧する指の姿勢に倣って回動かつ傾倒する指掛け部材を実現することができる。
従って、取付構造が簡易であるため、回動部材に対する指掛け部材の取付作業を容易なものとし、発射ハンドルの製造コストを低減することができる。また、取付部材を取り去るだけで指掛け部材を回動部材から外すことができるため、指掛け部材の交換を容易に行うことができる。
【００２５】
（請求項８に係る発明の効果）
膨出部が可動状態で収容部に収容されており、膨出部の上部から突出した取付部材の周面と収容部との間には間隙が存在するため、膨出部を基点にして指掛け部材を回動させたり、傾倒させたりすることができる。
【００２６】
（請求項９に係る発明の効果）
回動部材を回動させる際に使う複数の指それぞれの姿勢に倣って各指掛け部材の姿勢が変化するため、遊技者毎に異なる各指の形態と、各指の掛け方などの癖とに対応することができ、操作が楽な発射ハンドルを実現することができる。
また、各指掛け部材に掛ける複数の指のうち、特定の指のみに掛け方に癖があったり、特有の形態が存在したりする場合であっても、その指の癖および形態に対応することができ、楽に操作を行うことができる。
【００２７】
（請求項１０に係る発明の効果）
各指掛け部材が、それぞれ同一形状であるため、指掛け部材毎に異なる形状に製造する場合よりも製造コストを低減することができる。また、指掛け部材が破損したときなどのために交換用として保管する場合も、同じ指掛け部材を保管しておけばよいし、交換時も同じ指掛け部材と取り替えればよいため、指掛け部材の管理およびメンテナンスを容易なものにすることができる。
【発明を実施するための最良の形態】
【００２８】
＜第１実施形態＞
［パチンコ機の主要構成］
この発明の第１実施形態に係る発射ハンドルを備えたパチンコ機の主要構成について、それを示す図１を参照して説明する。
図１に示すように、パチンコ機本体１０には、遊技盤１１と、上受皿１２と、下受皿１３とが設けられており、下受皿１３の右方には、発射ハンドル１が設けられている。発射ハンドル１を操作すると、発射装置（図示せず）が作動し、上受皿１２に収容されている遊技球が遊技盤１１に発射され、その発射された遊技球が遊技盤１１に配置された入賞口（図示せず）に入賞すると所定個数の遊技球が賞球として上受皿１２に払出される。また、上受皿１２に収容されている遊技球の数が上受皿１２の収容限界を超えると、その超えた分の遊技球が下受皿１３に流下して収容される。
【００２９】
［発射ハンドルの主要構成］
次に、発射ハンドル１の主要構成について図２ないし図５を参照して説明する。図２は、発射ハンドル１の斜視図であり、図３は図２に示す発射ハンドルの分解斜視図である。図４は図１に示す発射ハンドルの説明図であり、（Ａ）は発射ハンドルの正面透視図、（Ｂ）は（Ａ）のＡ−Ａ矢視断面図である。図５は図１に示す発射ハンドルの使用状態を示す説明図であり、（Ａ）は回動前の指掛け部材の説明図、（Ｂ）は回動後の指掛け部材の説明図である。なお、以下の説明では、図１に示す状態を方向の基準とし、発射ハンドル１から見て遊技者の方を向く面を前面とする。
【００３０】
図２に示すように、発射ハンドル１は、発射ハンドル１をパチンコ機本体１０に取付けるための取付筒体７と、この取付筒体７に回動可能に取付けられた回動部材５と、この回動部材５の前面に取付けられたハンドレスト６とを備える。
回動部材５の周面には、回動部材５を操作しようとする遊技者の右手の指を掛けるための３つの指掛け部材２が取付けられている。３つの指掛け部材２に掛ける指の種類は、遊技者の癖によって異なることもあるが、基本的には、図２において左から時計回りに、右手親指用、右手人差し指用、右手中指用である。この実施形態では、回動部材５は、環状の縦断面を有する形状に形成されている（図４（Ｂ））。
【００３１】
この実施形態では、各指掛け部材２は、長円形状の横断面を有する形状、換言すると、直方体の各側面の角部を面取りした形状にそれぞれ形成されている。各指掛け部材２の周面のうち、左右の側面には、掛けた指による押圧を受けるための受圧部２ｂがそれぞれ形成されている。この実施形態では、受圧部２ｂは、角部や凹凸を有さず、平坦な面に形成されており、受圧部２ｂを長時間押圧しても、指に痛みが感じないように考慮されている。この実施形態では、各指掛け部材２は、同一の形状および大きさに形成されている。
【００３２】
各指掛け部材２には、指掛け部材２を回動部材５に回動可能に取付けるためのビス４を挿通する挿通孔２ａが上下方向に貫通形成されている。この実施形態では、挿通孔２ａは、ビス４の頭を収容するためにサラ孔に形成されている。このため、図２に示すように、挿通孔２ａに挿通されたビス４の頭が指掛け部材２の上面から突出しないようになっており、ビス４の頭の縁で指を怪我したり、衣服を引っ掛けたりするおそれがない。この実施形態では、各指掛け部材２の上面および下面における挿通孔２ａを除く部分は、それぞれ平面に形成されている。
【００３３】
図４（Ｂ）に示すように、回動部材５は、環状の環体５ｈと、この環体５ｈの前面を覆う円板形状の前板５ｊと、この前板５ｊの後面中央から後方へ突出形成された筒状の軸受５ｄとを備える。軸受５ｄには、ハンドレスト６の後面から突出した取付軸６ａを挿通するための軸孔５ｃ（図３）が前後方向に貫通形成されている。この軸孔５ｃの中心軸が回動部材５の回動中心に設定されている。
【００３４】
環体５ｈの周面５ｉには、各指掛け部材２を取付けるための溝部５ａが３箇所形成されており、各溝部５ａに指掛け部材２が回動可能に取付けられている。この実施形態では、各溝部５ａは、環体５ｈの円弧状の周面５ｉの一部を削って平面化したような形状に形成されており、周面５ｉとの境界部位には、角部５ｇが形成されている。
各指掛け部材２の取付位置は、右手の掌をハンドレスト６に自然に置いたときに右手の親指、人差し指および中指の各第１関節付近が存在することとなる位置、つまり右手で回動部材５を操作し易い位置である。この実施形態では、図４（Ａ）に示すように、発射ハンドル１の回動部材５を時計回りに回動させていない状態において、右手の親指を掛けるための指掛け部材２が時計の９時の位置に、右手の人差し指を掛けるための指掛け部材２が時計の１２時の位置に、右手の中指を掛けるための指掛け部材２が時計の２時の位置にそれぞれ配置されている。
【００３５】
また、各指掛け部材２における左側面の受圧部２ｂは、各指の右側部のうち、第１関節またはその近傍により押圧される位置に設定されている。例えば、右手の親指を掛けるための指掛け部材２の受圧部２ｂに関しては、図５（Ｂ）に示すように、親指の右側部のうち、指先と第１関節との中間付近の部位により押圧される位置に設定されている。各溝部５ａには、ビス４の固定用として用いる座金部材３の頭部３ｂを下面から挿通するための挿通孔５ｂが、それぞれ回動部材５の回動中心に向けて貫通形成されている。
【００３６】
この実施形態では、座金部材３は、四角形の板状に形成された座部３ａと、この座部３ａの上部板面から突出した筒状の頭部３ｂとを有する。頭部３ｂの上面から座部３ａの下面にかけて、ビス４をねじ込み固定するための雌ねじが周面に刻まれたビス孔３ｃが上下方向に貫通形成されている。
【００３７】
各溝部５ａのうち挿通孔５ｂを除く部分は、それぞれ平面に形成されている。図５（Ａ）に示すように、各溝部５ａの左右方向の幅Ｌ２は、それぞれ指掛け部材２の左右方向の幅Ｌ１よりも広く形成されている。また、各溝部５ａの周面５ｉとの境界部位である角部５ｇは、溝部５ａに取付けられた指掛け部材２の下面の周縁２ｃよりも高い位置になっており、回動した指掛け部材２の周面下部が角部５ｇにつかえるようになっている。つまり、溝部５ａは、指掛け部材２の回動範囲を規制する役割をも果たしている（図５（Ｂ））。
【００３８】
このように規制することにより、指掛け部材２に掛けた指による押圧力が、指掛け部材２の過回動によって失われることがなく、指掛け部材２を介して角部５ｇに作用するため、指の押圧力を回動部材５の回動力として効率的に反映させることができる。また、遊技者の感触からいうと、回動部材５を回動する際に安定感を感じる。さらに、指掛け部材２が角部５ｇにつかえた状態を維持することにより、指掛け部材２が不用意に回動して回動部材５の回動位置がずれてしまうことがなくなるので、回動部材５を所望の回動位置にて安定して保持することができる。
【００３９】
図４（Ｂ）に示すように、環体５ｈの裏面と軸受５ｄの周面との間には、環状の縦断面を有する空間５ｆが形成されている。座金部材３の頭部３ｂは、溝部５ａに形成された挿通孔５ｂに、空間５ｆを利用して溝部５ａの裏面から挿通されている。そして、指掛け部材２は、その挿通孔２ａと座金部材３のビス孔３ｃとを一致させた状態で溝部５ａに配置されており、ビス４が、指掛け部材２の挿通孔２ａから座金部材３のビス孔３ｃにねじ込まれている。
つまり、ビス４の一端が指掛け部材２に、他端が回動部材５の周囲の近傍にそれぞれ取付けられているという簡易な取付構造により、指掛け部材２を押圧する指の姿勢に倣って回動する指掛け部材２を実現している。
また、ビス４を取り去るだけで指掛け部材２を回動部材５から外すことができ、指掛け部材２の交換を容易に行うことができる。
【００４０】
また、座金部材３の頭部３ｂの高さは、挿通孔５ｂの内周壁の高さよりも僅かに高く形成されているため、ビス４が座金部材３のビス孔３ｃに最後までねじ込まれ、指掛け部材２の底面と座金部材３の頭部３ｂとが当接した状態において、指掛け部材２は僅かに上下動可能になっている。これにより、指掛け部材２の底面と溝部５ａとの間に大きな摩擦力が発生しないため、指掛け部材２を回動させると座金部材３も共に回動し、指掛け部材２を座金部材３の頭部３ｂを回動中心にして小さな力で滑らかに回動させることができる。
【００４１】
ハンドレスト６は、半球状に形成されており、その球面を前方に向けて配置されている。ハンドレスト６の後面中央から突出した取付軸６ａは、回動部材５の軸孔５ｃに挿通されており、さらに、取付筒体７に前後方向に貫通形成された軸孔７ａに挿入されている。図４（Ｂ）に示すように、取付筒体７は、後面が開口形成されており、内部には、ワッシャ８およびボルト９を収容できる空間７ｂが形成されている。
ハンドレスト６の取付軸６ａの内部には、ボルト９をねじ込むためのボルト孔６ｂが、取付軸６ａの後面から前方に向けて形成されている。ボルト９は、ワッシャ８に貫通形成された孔８ａを通ってボルト孔６ｂにねじ込まれており、これにより、ハンドレスト６が取付筒体７に固定され、ハンドレスト６の取付軸６ａを回動軸にして回動部材５が回動可能な状態になっている。
【００４２】
取付筒体７は、パチンコ機本体１０の下受皿１３の右方に形成された取付穴（図示せず）に挿通固定される。
この実施形態では、ハンドレスト６の取付軸６ａは、縦断面が円形の棒状ではなく、棒状部材の円弧状周面の一部を軸方向に削って平面化した形状（円の一部が直線となった縦断面を有する形状）に形成されている。取付筒体７の軸孔７ａは、取付軸６ａの外形に合致した形状に形成されている。つまり、取付筒体７に挿入されたハンドレスト６が回動しない構造になっている。
なお、図示しないが、回動部材５の環体５ｈの周面５ｉには、右手が接触したことを検出するタッチセンサと、停止スイッチとが設けられており、タッチセンサがＯＮすると発射装置が作動し、その作動中に停止スイッチを操作すると発射装置が停止する構造になっている。
【００４３】
［発射ハンドルの動作］
次に、発射ハンドル１の動作について説明する。
今、図４（Ａ）に示すように、時計回りに回動されていない状態の発射ハンドル１を操作するものとする。右手の親指、人差し指および中指の各右側部を、時計の９時、１２時および２時の位置に存在する各指掛け部材２にそれぞれ掛けた状態を作り、その状態で回動部材５を時計回りに回動させる。このとき、回動部材５が時計回りに回転するにつれて各指掛け部材２に掛けた各指の姿勢が変化する。
【００４４】
ここで、右手の親指Ｙの姿勢の変化に倣って指掛け部材２の姿勢が変化する様子を説明する。回動部材５が回動を開始する初期の期間では、親指Ｙの右側部のうち、先端と第１関節との間の部分全体が、指掛け部材２の左側面の受圧部２ｂ全体を比較的均等に押圧している状態が維持される。ところが、回動部材５が時計回りに回動するにつれて、親指Ｙの姿勢が変化する。
【００４５】
ここで、図５（Ａ）に示すように、親指Ｙを掛けていた指掛け部材２が時計の１２時の位置に達したとする。このとき、図示するように、指掛け部材２の受圧部２ｂを押圧している親指Ｙの押圧部位が受圧部２ｂの後方へ移動する。ここで、従来のように指掛け部材２が回動しないものであるとすると、親指Ｙの押圧部位の面積が小さくなり、押圧により受圧部２ｂから受ける反力が親指Ｙの押圧部位の１点に局所的に集中することになり、その姿勢を長時間持続すると、親指Ｙの押圧部位が痛くなってしまう。
【００４６】
しかし、この実施形態の発射ハンドル１に備えられた指掛け部材２は、ビス４を回動軸にして回動可能に構成されているため、図５（Ｂ）に示すように、親指Ｙの押圧部位の移動に伴って指掛け部材２には時計回りに回転する回転モーメントが発生し、指掛け部材２が時計回りに回動する。
従って、図示のように、親指Ｙの押圧部位の面積が回動初期の段階と同じように広くなるため、親指Ｙの押圧部位が痛くなるおそれがない。
【００４７】
また、図５では、親指Ｙを掛けている指掛け部材２が時計の１２時の位置に到達したときに指掛け部材２が時計回りに回動する場合を代表に説明したが、指掛け部材２が回動を開始するタイミングは、親指Ｙの押圧部位が移動するタイミングによって変化する。また、そのタイミングは、発射ハンドル１を操作する遊技者の癖によって異なるし、発射ハンドル１を握り直したり、指を動かしたりするタイミングによっても異なってくる。
しかし、指掛け部材２は、親指Ｙの押圧部位の変化に倣って回動できるため、上記タイミングがどんなタイミングであっても、常に親指Ｙに痛みの感じない姿勢に回動する。
【００４８】
なお、人差し指および中指を掛ける各指掛け部材２に関しても、親指Ｙを掛ける指掛け部材２と同様に、指の姿勢の変化に倣って回動するため、長時間に亘って指を掛けていても指が痛むおそれがない。
【００４９】
［第１実施形態の効果］
（１）以上のように、上記第１実施形態の発射ハンドル１を使用すれば、回動部材５を回動させようとする指によって指掛け部材２を押圧したときに、その指の指掛け部材２に対する指の位置、角度および方向などに倣って、指掛け部材２をビス４を介して回動させることができる。
つまり、指の側部と指掛け部材２の受圧部２ｂとが局所的に接触する状態がなくなり、押圧面積が増加するため、長時間に亘って指掛け部材２を押圧しても指の側部が痛くなるおそれがない。
また、遊技の途中で指掛け部材２に掛けている指の姿勢を変える場合も、その姿勢に倣って指掛け部材２が回動し、指の側部と指掛け部材２の受圧部２ｂとの接触面積が減少することがないため、指の側部が痛くなるおそれがない。
従って、遊技者毎に異なる指の形態と、指の掛け方などの癖とに対応することができ、操作が楽な発射ハンドルを実現することができる。
【００５０】
（２）また、ビスの一端が指掛け部材２に、他端が回動部材５の周囲の近傍にそれぞれ取付けられているという簡易な取付構造により、指掛け部材２を押圧する指の姿勢に倣って回動する指掛け部材２を実現することができる。
従って、取付構造が簡易であるため、回動部材５に対する指掛け部材２の取付作業を容易なものとし、発射ハンドル１の製造コストを低減することができる。また、ビス４を取り去るだけで指掛け部材２を回動部材５から外すことができるため、指掛け部材２の交換を容易に行うことができる。
【００５１】
（３）さらに、回動部材５を回動させる際に使う３本の指それぞれの姿勢に倣って各指掛け部材２の姿勢が変化するため、遊技者毎に異なる各指の形態と、各指の掛け方などの癖とに対応することができ、操作が楽な発射ハンドルを実現することができる。
また、各指掛け部材２に掛ける３本の指のうち、特定の指のみに掛け方に癖があったり、特有の形態が存在したりする場合であっても、その指の癖および形態に対応することができ、楽に操作を行うことができる。
【００５２】
（４）各指掛け部材２が、それぞれ同一形状であるため、指掛け部材毎に異なる形状に製造する場合よりも製造コストを低減することができる。また、指掛け部材２が破損したときなどのために交換用として保管する場合も、同じ指掛け部材２を保管しておけばよいし、交換時も同じ指掛け部材２と取り替えればよいため、指掛け部材２の管理およびメンテナンスを容易なものにすることができる。
【００５３】
（５）各指掛け部材２の回動範囲が角部３ｅによって規制されているため、各指掛け部材２が真横など、指を掛け難い姿勢に変化するおそれがないので、発射ハンドル１を操作しようとするときに各指を指掛け部材２に掛け易い。
【００５４】
＜第２実施形態＞
次に、この発明の第２実施形態について図を参照して説明する。
図６は、この実施形態に係る発射ハンドルの斜視図であり、図７は、図６に示す発射ハンドルの分解斜視図である。図８は図６に示す発射ハンドルの説明図であり、（Ａ）は発射ハンドルの正面透視図、（Ｂ）は指掛け部材の説明図、（Ｃ）は傾倒した指掛け部材の説明図である。図９は図８に示す発射ハンドルの断面図であり、（Ａ）は図８（Ａ）のＢ−Ｂ矢視断面図、（Ｂ）は指掛け部材が取付けられている部分の断面拡大図、（Ｃ）は（Ｂ）から指掛け部材を除いた状態の断面拡大図である。
【００５５】
この実施形態に係る発射ハンドル９０は、指掛け部材が指の姿勢に倣って回動かつ傾倒可能であることを特徴とする。
発射ハンドル９０に備えられた３つの指掛け部材２０は、前述の第１実施形態の指掛け部材２に形成された挿通孔２ａが形成されていない点以外は、指掛け部材２と同じ形状に形成されている。この実施形態では、各指掛け部材２は、同一の形状および大きさに形成されている。指掛け部材２０の下面２２の中央からは、取付部材３０が下向きに突出形成されている。取付部材３０は、指掛け部材２０の下面から下向きに突出形成された軸部３１と、この軸部３１の下端から膨出形成された膨出部３２とから構成される。
【００５６】
この実施形態では、軸部３１は、円形の横断面形状を有する棒状に形成されており、膨出部３２は、球状に形成されている。
発射ハンドル９０に備えられた回動部材９１は、前部回動部材４０および後部回動部材５０から構成されている。図８（Ｂ）に示すように、前部回動部材４０および後部回動部材５０は、それぞれ縦断面の周囲の形状が環状に形成されており、前部回動部材４０の後面および後部回動部材５０の前面、つまり前部回動部材４０および後部回動部材５０の接合面の形状が同一形状に形成されている。
【００５７】
前部回動部材４０は、環状の環体４７と、この環体４７の前面を覆う円板形状の前板４８と、この前板４８の後面中央から後方へ突出形成された筒状の軸受４５とを備える。軸受４５には、ハンドレスト６の後面から突出した取付軸６ａを挿通するための軸孔４５ａ（図７）が前後方向に貫通形成されている。この軸孔４５ａの中心軸が回動部材９１の回動中心に設定されている。
【００５８】
環体４７の周面４９には、各指掛け部材２０を取付けるための取付部４６が３箇所形成されている。この実施形態では、各取付部４６は、円弧状の周面４９の一部を削って平面化した形状に形成されている。
後部回動部材５０は、環状に形成されており、その周面５９には、各指掛け部材２０を取付けるための取付部５６が３箇所形成されている。この実施形態では、各取付部５６は、円弧状の周面５９の一部を削って平面化した形状に形成されている。
【００５９】
図６に示すように、各取付部４６，５６は、前部回動部材４０の後部周縁と後部回動部材５０の前部周縁とを接合したときに相互に一致する位置に形成されている。また、そのとき一致した各取付部４６，５６は、それぞれが連続した１つの平面になるように構成されている。
各取付部４６の内部には、取付部材３０の膨出部３２を収容するための収容部４１がそれぞれ形成されており、各収容部４１は、それぞれ後方に開口している。また、各収容部４１の上部には、取付部材３０の軸部３１の前部半分を収容するための孔４２が収容部４１と連通して形成されている。
【００６０】
各取付部５６の内部には、取付部材３０の膨出部３２を収容するための収容部５１がそれぞれ形成されており、各収容部５１は、それぞれ前方に開口している。また、各収容部５１の上部には、取付部材３０の軸部３１の後部半分を収容するための孔５２が収容部５１と連通して形成されている。この実施形態では、各取付部４６，５６は、それぞれ球を縦方向に半割りした半球状の空間に形成されている。また、各孔４２，５２は、それぞれ円錐台を逆にしたものを縦方向に半割した形状の空間に形成されている。
つまり、図９（Ｃ）に示すように、前部回動部材４０および後部回動部材５０を接合したときに、各収容部４１，５１および各孔４２，５２がそれぞれ合致され、その合致された収容部４１，５１によって球状の収容部が形成され、孔４２，５２によって逆台錐形状の孔が形成される。図９（Ｂ）に示すように、その球状の収容部には、取付部材３０の膨出部３２が収容され、逆円錐台形状の孔には、軸部３１が収容される。
【００６１】
また、図９（Ｂ）に示すように、軸部３１と、孔４２，５２との間には、間隙４２ａ，５２ａが形成されており、図８（Ｃ）に示すように、膨出部３２を基点にして指掛け部材２０を回動かつ傾倒させることができるようになっている。指掛け部材２０の回動可能な角度は３６０度であり、傾倒可能な方向も３６０度である。また、傾倒可能な角度は、図８（Ｃ）に示すように、傾倒した指掛け部材２０の軸部３１が孔４２，５２の周縁につかえるまでの角度である。
【００６２】
後部回動部材５０の内周壁には、ビス８０（図９（Ａ））を挿通するためのビス孔５４が前後方向に貫通形成された突出部５３が３箇所に形成されている。また、前記回動部材４０の内周壁には、突出部５３と同じ位置に突出部４０ａ（図９（Ａ））が３箇所形成されており、各突出部４０ａには、ビス８０をねじ込むための雌ねじが刻まれたビス孔が形成されている。図９（Ａ）に示すように、ビス８０を各突出部５３の後方から挿通し、突出部４０ａにねじ込むことにより、前部回動部材４０および後部回動部材５０が接合されている。
【００６３】
各指掛け部材２０の各受圧部２１に右手の親指、人差し指および中指を掛けて回動部材９１を時計回りに回動させると、各指掛け部材２０は、掛けられている指の姿勢に倣って自身の取付姿勢を取付部材３０を介して変化させる。
指掛け部材２が回動または傾倒を開始するタイミングは、発射ハンドル９０を操作する遊技者の癖によって異なるし、発射ハンドル９０を握り直したり、指を動かしたりするタイミングによっても異なってくる。
しかし、各指掛け部材２０は、掛けられている指の姿勢に倣って回動かつ傾倒できるため、上記タイミングがどんなタイミングであっても、常に指に痛みの感じない姿勢に回動かつ傾倒する。
【００６４】
［第２実施形態の効果］
（１）以上のように、上記第２実施形態の発射ハンドル９０を使用すれば、回動部材９１を回動させようとする指によって指掛け部材２０を押圧したときに、その指の姿勢に倣って指掛け部材２０を取付部材３０を介して回動かつ傾倒させることができるため、指掛け部材２０を押圧している指が痛くなるおそれがなく、楽に操作することができる。
特に、指の姿勢に倣って指掛け部材２０が傾倒するため、指の側部と指掛け部材２０の受圧部２１とが局所的に接触する状態がなくなるため、長時間に亘って指掛け部材２０を押圧しても指の側部が痛くなるおそれがない。
また、遊技の途中で指掛け部材２０に掛けている指の姿勢を変える場合も、その姿勢に倣って指掛け部材２０が傾倒し、指の側部と指掛け部材２０の受圧部２１とが接触する部位が変化するため、指の側部が痛くなるおそれがない。
【００６５】
（２）また、取付部材３０の一端が指掛け部材２０に、他端が回動部材９１の周囲の近傍にそれぞれ取付けられているという簡易な取付構造により、指掛け部材２０を押圧する指の姿勢に倣って回動かつ傾倒する指掛け部材２０を実現することができる。
従って、取付構造が簡易であるため、回動部材９１に対する指掛け部材２０の取付作業を容易なものとし、発射ハンドル９０の製造コストを低減することができる。また、取付部材３０を取り去るだけで指掛け部材２０を回動部材９１から外すことができるため、指掛け部材３０の交換を容易に行うことができる。
【００６６】
（３）さらに、回動部材９１を回動させる際に使う３本の指それぞれの姿勢に倣って各指掛け部材２０の姿勢が変化するため、遊技者毎に異なる各指の形態と、各指の掛け方などの癖とに対応することができ、操作が楽な発射ハンドルを実現することができる。
また、各指掛け部材２０に掛ける３本の指のうち、特定の指のみに掛け方に癖があったり、特有の形態が存在したりする場合であっても、その指の癖および形態に対応することができ、楽に操作を行うことができる。
【００６７】
（４）各指掛け部材２０が、それぞれ同一形状であるため、指掛け部材毎に異なる形状に製造する場合よりも製造コストを低減することができる。また、指掛け部材２０が破損したときなどのために交換用として保管する場合も、同じ指掛け部材２０を保管しておけばよいし、交換時も同じ指掛け部材２と取り替えればよいため、指掛け部材２０の管理およびメンテナンスを容易なものにすることができる。
【００６８】
＜他の実施形態＞
（１）第１実施形態および第２実施形態の各指掛け部材２は、上記の形状以外の形状に形成してもよく、例えば、受圧部２ｂ，２１をその受圧部２ｂ，２１を押圧する指の部分の外形に対応する形状（例えば、断面が円弧状の窪み）に形成してもよい。このように形成された受圧部を有する指掛け部材を使用すれば、指掛け部材に掛ける指に適合した指掛け部材を有する発射ハンドルを実現することができ、操作性を向上させることができる。
【００６９】
（２）前記各実施形態では、右手の親指、人差し指および中指を掛ける指掛け部材を備えた発射ハンドルを説明したが、右手の薬指または小指を掛ける指掛け部材を備えるように構成することもできる。つまり、少なくとも右手の親指を掛ける指掛け部材を備えておればよく、親指以外の指については、どの指を掛けるための指掛け部材を設けてもよい。
【００７０】
（３）前記各実施形態では、右利きの遊技者を対象とした発射ハンドルを説明したが、左利きの遊技者を対象とした発射ハンドルについても本願発明を適用することができる。この場合、各指掛け部材の配置は、線対称の配置となり、上記各実施形態において時計の９時の位置にある指掛け部材が３時の位置に、２時の位置にある指掛け部材が１０時の位置にそれぞれ配置される。この場合も上述の各実施形態の効果と同じ効果を奏することができる。また、この発射ハンドルについても、上記他の実施形態（１）および（２）の構成を採用することができる。
【００７１】
（４）前記第１実施形態では、各指掛け部材２は、溝部５ａの角部５ｇによって回動範囲が規制されているが、第２実施形態の取付部４６，５６のように角部をなくし、回動範囲を規制しないように構成することもできる。この構成によれば、指掛け部材２の回動範囲が３６０度となるため、掛ける指の姿勢の変化に広く対応することができる。
【００７２】
（５）前記第１実施形態において指掛け部材２を回動部材５に回動可能に取付けるための取付部材としては、ビス４および座金部材３以外を用いることもできる。例えば、ビス孔２ａに代えてピン孔を形成し、回動部材５の挿通孔５ｂに代えてピン挿通孔を形成する。そして、ピンを指掛け部材２の上からピン孔およびピン挿通孔へ挿通し、ピン挿通孔から突出した部分を屈曲させるか、潰すかしてピンの抜け止めを図る。
【００７３】
（６）指掛け部材２のビス孔２ａの上部に形成されたサラ孔を指掛け部材２の表面から深い位置に形成し、ビス４により指掛け部材２を回動部材５に取付けた後に、サラ孔に合致する形状で、かつ、指掛け部材２と同じ色の蓋部材をサラ孔に嵌合することもできる。
この構成によれば、ビス４の頭部が露出しないため、指掛け部材２の見栄えを良くすることができる。
【００７４】
（７）前記第２実施形態では、各指掛け部材２０は、回動範囲が規制されていないが、取付部４６，５６に第１実施形態の溝部５ａのように角部５ｇをそれぞれ形成し、回動範囲を規制することもできる。この構成によれば、各指掛け部材２０が真横など、指を掛け難い姿勢に変化するおそれがないので、発射ハンドル９０を操作しようとするときに各指を各指掛け部材２０に掛け易い。
【００７５】
（８）前記第２実施形態において、軸部３１と孔４２，５２との間隙４２ａ，５２ａをなくし、各指掛け部材２０が傾倒できず、回動のみできる構造にすることもできる。この構造を使用すれば、前記第１実施形態におけるビス４および座金部材３が不要となる。
【００７６】
（９）前記第２実施形態において、各指掛け部材２０が回動できず、傾倒のみできる構造にすることもできる。例えば、球状の膨出部３２に代えて、前後方向に中心軸を有する円柱状の膨出部を使用し、その膨出部の上部から軸部３１が突出した構造を用いる。また、前部回動部材４０および後部回動部材５０における収容部４１，５１は、円柱状の膨出部に対応した形状の空間に形成する。孔４２，５２については、間隙４２ａ，５２ａのうち、傾倒方向の間隙が形成されるように形成すればよく、前後方向の間隙は形成する必要がない。
【００７７】
この構造によれば、各指掛け部材２０を膨出部を基点にして左右に傾倒可能な発射ハンドルを実現することができる。
この発射ハンドルを使用すれば、回動部材を回動させようとする指によって指掛け部材を押圧したときに、その指の姿勢に倣って指掛け部材を取付部材を介して傾倒させることができる。
従って、指の姿勢に倣って指掛け部材が傾倒するため、指の側部と指掛け部材の受圧部とが成す角度が変化するため、長時間に亘って指掛け部材を押圧しても指の側部が痛くなるおそれがない。
また、遊技の途中で指掛け部材に掛けている指の姿勢を変える場合も、その姿勢に倣って指掛け部材が傾倒し、指の側部と指掛け部材の受圧部とが成す角度が変化するため、指の側部が痛くなるおそれがない。
【００７８】
さらに、取付部材の一端が指掛け部材に、他端が回動部材の周囲の近傍にそれぞれ取付けられているという簡易な取付構造により、指掛け部材を押圧する指の姿勢に倣って傾倒する指掛け部材を実現することができる。
従って、取付構造が簡易であるため、回動部材に対する指掛け部材の取付作業を容易なものとし、発射ハンドルの製造コストを低減することができる。また、取付部材を取り去るだけで指掛け部材を回動部材から外すことができるため、指掛け部材の交換を容易に行うことができる。
なお、この発射ハンドルが請求項３または請求項６に係る発射ハンドルに対応する。
【００７９】
（１０）前記第２実施形態において軸部３１をバネ性材料により形成することもできる。例えば、軸部３１を硬質ゴム、コイルスプリング、板バネなどにより形成する。この構成によれば、傾倒した指掛け部材２０を傾倒前の姿勢に復元することができる。
また、この構成において膨出部３２を収容部４１，５１に可動不能な状態で固定し、指掛け部材２０を傾倒のみ可能にすることもできる。
【図面の簡単な説明】
【００８０】
【図１】第１実施形態に係る発射ハンドルを備えたパチンコ機の主要構成を示す説明図である。
【図２】発射ハンドル１の斜視図である。
【図３】図２に示す発射ハンドルの分解斜視図である。
【図４】図１に示す発射ハンドルの説明図であり、（Ａ）は発射ハンドルの正面透視図、（Ｂ）は（Ａ）のＡ−Ａ矢視断面図である。
【図５】図１に示す発射ハンドルの使用状態を示す説明図であり、（Ａ）は回動前の指掛け部材の説明図、（Ｂ）は回動後の指掛け部材の説明図である。
【図６】第２実施形態に係る発射ハンドルの斜視図である。
【図７】図６に示す発射ハンドルの分解斜視図である。
【図８】図６に示す発射ハンドルの説明図であり、（Ａ）は発射ハンドルの正面透視図、（Ｂ）は指掛け部材の説明図、（Ｃ）は傾倒した指掛け部材の説明図である。
【図９】図８に示す発射ハンドルの断面図であり、（Ａ）は図８（Ａ）のＢ−Ｂ矢視断面図、（Ｂ）は指掛け部材が取付けられている部分の断面拡大図、（Ｃ）は（Ｂ）から指掛け部材を除いた状態の断面拡大図である。
【図１０】従来の発射ハンドルの説明図であり、（Ａ）は特許文献１に記載の発射ハンドルの説明図、（Ｂ）は特許文献２に記載の発射ハンドルの説明図、（Ｃ）は特許文献３に記載の発射ハンドルの説明図である。
【符号の説明】
【００８１】
１・・発射ハンドル、４・・ビス（取付部材）、５・・回動部材、１０・・パチンコ機本体、３０・・取付部材、３１・・軸部、３２・・膨出部、４１，５１・・収容部、４２，５２・・孔（収容部）、４２ａ，５２ａ・・間隙。
【図１】
0004722659.tif 000002
【図２】
0004722659.tif 000003
【図３】
0004722659.tif 000004
【図４】
0004722659.tif 000005
【図５】
0004722659.tif 000006
【図６】
0004722659.tif 000007
【図７】
0004722659.tif 000008
【図８】
0004722659.tif 000009
【図９】
0004722659.tif 000010
【図１０】
0004722659.tif 000011